(57)【要約】【課題】巻上機が設置されている床の追加工事を行わなくても１：１ローピングのロープ式エレベータを２：１ローピングにリニューアルすることができるエレベータのリニューアル方法およびエレベータを提供することを課題とする。【解決手段】１：１ローピングのエレベータを２：１ローピングにリニューアルする際に、２：１ローピングで吊るすようにかごおよび釣合いおもりの吊下げ可能化工事を行うとともに、２：１ローピング用のロープの端部をそれぞれ固定する固定手段Ｆを巻上機が設置される機械室１の床下に形成された昇降路１３内に設ける工程と、かご側開口部９と釣合いおもり側開口部１０とに２：１ローピング用のロープを一回ずつ通してかご１１および釣合いおもり１２を２：１ローピングで吊るすようにロープ８Ｒを巻きかけるとともに、ロープ８Ｒの端部を固定手段Ｆに固定する工程と、を行う。【選択図】図４
2015013728.tif 000002
【特許請求の範囲】
【請求項１】
１：１ローピングのエレベータを２：１ローピングにリニューアルするエレベータのリニューアル方法であって、
巻上機に巻きかけられた１：１ローピング用のロープを取り外す工程と、
２：１ローピングで吊るすようにかごおよび釣合いおもりの吊下げ可能化工事を行うとともに、２：１ローピング用のロープの端部をそれぞれ固定する固定手段を前記巻上機が設置される機械室の床下に形成された昇降路内に設ける工程と、
前記床に形成されたかご側開口部と前記床に形成された釣合いおもり側開口部とに２：１ローピング用のロープを一回ずつ通して前記かごおよび前記釣合いおもりを２：１ローピングで吊るすように前記巻上機、前記かご、および、前記釣合いおもりに巻きかけるとともに、前記ロープの端部を前記固定手段に固定する工程と、
を備えることを特徴とするエレベータのリニューアル方法。
【請求項２】
リニューアル前の前記巻上機がギアード巻上機であり、
前記ギアード巻上機をギアレス巻上機に交換した後に２：１ローピング用のロープを前記ギアレス巻上機に巻きかけることを特徴とする請求項１記載のエレベータのリニューアル方法。
【請求項３】
２：１ローピングのエレベータであって、
巻上機に巻きかけられるロープの端部を固定する固定手段を昇降路内に有し、
前記巻上機が設置される機械室の床に形成されたかご側開口部と、前記床に形成された釣合いおもり側開口部とに前記ロープが一回ずつ通され、かごおよび釣合いおもりが２：１ローピングで吊るされているとともに前記ロープの端部がいずれも前記固定手段に固定されていることを特徴とするエレベータ。
【請求項４】
前記固定手段が、
前記昇降路内のかご用ガイドレールに固定されかご側のロープ端部を固定しているかご用ビームと、
前記昇降路内の釣合いおもり用ガイドレールに固定され釣合いおもり側のロープ端部を固定している釣合いおもり用ビームと
で構成されていることを特徴とする請求項３記載のエレベータ。
【請求項５】
前記機械室に固定され、前記かご側開口部から前記昇降路内に延び出しているかご側支持部材と、
前記機械室に固定され、前記釣合いおもり側開口部から前記昇降路内に延び出している釣合いおもり側支持部材と、
が設けられ、
前記固定手段が前記かご側支持部材および前記釣合いおもり側支持部材によって固定されていることを特徴とする請求項３記載のエレベータ。
【請求項６】
前記ロープが前記かご側開口部および前記釣合いおもり側開口部に干渉することを防止するロープガイド手段が前記固定手段に設けられていることを特徴とする請求項３〜５のうち何れか１項記載のエレベータ。
【発明の詳細な説明】
【技術分野】
【０００１】
本発明の実施形態は、１：１ローピングのロープ式エレベータを２：１ローピングにリニューアルするエレベータのリニューアル方法およびエレベータに関する。
【背景技術】
【０００２】
既設の中低速ロープ式エレベータでは、歯車減速機を設けた巻上機が設けられおり、歯車減速機によりモータの回転を減速しメインシーブに伝える構成になっている。この構成では、低回転、高トルクが得られるため、１：１ローピングにされている場合が多い。
【０００３】
ところで、ロープ式エレベータをリニューアルする際、巻上機を主流のギアレス巻上機に変更して省エネルギー化を図ることが考えられる。ギアレス巻上機は歯車減速機を、用いずに、モータの回転を直接にメインシーブに伝えるので機械効率が高く、省エネルギーの観点で好ましい。
【０００４】
一般的に、ギアレス巻上機では、乗りかごおよび釣合いおもりにシーブを設けてロープを巻きかける２：１ローピングとする場合が多い。１：１ローピングを２：１ローピングとすることにより、ギアレス巻上機でエレベータを駆動することが可能となる。
【先行技術文献】
【特許文献】
【０００５】
【特許文献１】特開2012-201484号公報
【発明の概要】
【発明が解決しようとする課題】
【０００６】
１：１ローピングのロープ式エレベータを２：１ローピングにリニューアルする際、巻上機が設置される床に設けられた開口部にロープを往復させる必要があるため、この開口部にロープを２回通す必要がある。しかし、１：１ローピングのロープ式エレベータの既設の開口部は、ロープを１回通すための寸法とされている。このため、開口部を拡大する、あるいは巻上機が設置されている床に新たに開口部を形成する、などの床工事を追加で行う必要があり、リニューアル工事に時間がかかるという問題があった。
【０００７】
本発明は上記課題に鑑みてなされたものであり、巻上機が設置されている床の追加工事を行わなくても１：１ローピングのロープ式エレベータを２：１ローピングにリニューアルすることができるエレベータのリニューアル方法およびエレベータを提供することを課題とする。
【課題を解決するための手段】
【０００８】
本発明の実施形態に係るエレベータのリニューアル方法は、１：１ローピングのエレベータを２：１ローピングにリニューアルするエレベータのリニューアル方法である。巻上機に巻きかけられた１：１ローピング用のロープを取り外す工程と、２：１ローピングで吊るすようにかごおよび釣合いおもりの吊下げ可能化工事を行うとともに、２：１ローピング用のロープの端部をそれぞれ固定する固定手段を巻上機が設置される機械室の床下に形成された昇降路内に設ける工程と、床に形成されたかご側開口部と床に形成された釣合いおもり側開口部とに２：１ローピング用のロープを一回ずつ通してかごおよび釣合いおもりを２：１ローピングで吊るすように巻上機、かご、および、釣合いおもりに巻きかけるとともに、ロープの端部を固定手段に固定する工程と、を備える。
【０００９】
また、本発明の実施形態に係るエレベータは、２：１ローピングのエレベータである。巻上機に巻きかけられるロープの端部を固定する固定手段を昇降路内に有し、巻上機が設置される機械室の床に形成されたかご側開口部と、床に形成された釣合いおもり側開口部とにロープが一回ずつ通され、かごおよび釣合いおもりが２：１ローピングで吊るされているとともにロープの端部がいずれも固定手段に固定されている。
【図面の簡単な説明】
【００１０】
【図１】第１実施形態で、リニューアル前のエレベータの構成を説明する正面図である。
【図２】第１実施形態で、リニューアル前のエレベータの構成を説明する側面図である。
【図３】第１実施形態で、リニューアル前のエレベータの構成を説明する背面図である。
【図４】第１実施形態で、リニューアル後のエレベータの構成を説明する正面図である。
【図５】第１実施形態で、リニューアル後のエレベータの構成を説明する側面図である。
【図６】第１実施形態で、リニューアル後のエレベータの構成を説明する背面図である。
【図７】第１実施形態で、リニューアル後のエレベータの構成を説明する平面図である。
【図８】第１実施形態で、リニューアル後のエレベータの構成を説明する平面断面図である。
【図９】第１実施形態で、エレベータのリニューアル方法の手順を説明するフローチャート図である。
【図１０】第２実施形態で、リニューアル後のエレベータの構成を説明する正面図である。
【図１１】第２実施形態で、リニューアル後のエレベータの構成を説明する背面図である。
【図１２】第２実施形態で、リニューアル後のエレベータの構成を説明する平面図である。
【発明を実施するための形態】
【００１１】
以下、添付図面を参照して、実施形態のエレベータのリニューアル方法およびエレベータについて説明する。なお、第２実施形態以下では、既に説明したものと同様のものには同じ符号を付してその説明を省略する。
【００１２】
［第１実施形態］
まず、第１実施形態について説明する。図１〜図３は、それぞれ、リニューアル前のエレベータの構成を説明する正面図、側面図、および、背面図である。
【００１３】
リニューアル前のエレベータＥＢでは、機械室１の床２にマシンビーム３が２列に配置されており、その上にマシンベッド４が設置され、マシンベッド４の上に巻上機としてギアード巻上機５が設置されている。
【００１４】
リニューアル前のエレベータＥＢでは、ギアード巻上機５は、歯車減速機によりモータの回転を減速して、メインシーブ６に回転を伝達している。さらに、マシンベッド４には、巻上機側そらせシーブ７が取り付けられている。機械室１の床２にはロープ８Ｂが１回通る寸法の開口部として、かご側開口部９および釣合いおもり側開口部１０が形成されている。
【００１５】
ロープ８Ｂは、一端部でかご１１上部に、他端部で釣合いおもり１２上部に、それぞれ締結されている。ロープ８Ｂは、かご１１上部からかご側開口部９を通り、ギアード巻上機５のメインシーブ６に巻きかけられ、巻上機側そらせシーブ７にガイドされ、釣合いおもり側開口部１０を通り、釣合いおもり１２上部に繋がっている。この構成により、ロープ８Ｂを介して、昇降路１３内のかご１１はかご用ガイドレール１４に沿って、昇降路１３内の釣合いおもり１２は釣合いおもり用ガイドレール１５に沿って、相互に昇降するようになっている。リニューアル前のエレベータＥＢでは、このように１：１ローピングとなっている。
【００１６】
図４〜図８は、それぞれ、リニューアル後のエレベータの構成を説明する正面図、側面図、背面図、平面図、および、平面断面図である。なお、図７では昇降路壁を断面で示しており、図８は図４の矢視Ｐ１−Ｐ１断面図である。
【００１７】
リニューアル後のエレベータＥＲでは、機械室１の床２には、マシンビーム３が２列に配列されており、その上にマシンベッド４が設置され、マシンベッド４上に巻上機としてギアレス巻上機１６が設置されている。ギアレス巻上機１６には、モータの回転を直接に伝えるメインシーブ１７が取り付けられている。さらに、マシンベッド４には、巻上機側そらせシーブ７、１８が取り付けられている。
【００１８】
機械室１の床２にはロープ８Ｒが１回通過するための寸法のかご側開口部９、および、釣合いおもり側開口部１０が形成されている。
【００１９】
リニューアル後のエレベータＥＲでは、２：１ローピングとするために、かご１１にはかごシーブ１９が設けられ、釣合いおもり１２には釣合いおもりシーブ２０が設けられている。そして、昇降路１３内には、ロープ８Ｒの端部を固定する固定手段Ｆが設けられている。本実施形態では、固定手段Ｆは、昇降路１３内のかご用ガイドレール１４に固定されたかご用ビーム２１と、昇降路１３内の釣合いおもり用ガイドレール１５に固定された釣合いおもり用ビーム２４とで構成されている。
【００２０】
かご用ビーム２１には、かご用そらせシーブ２２（ロープガイド手段Ｇ）が設置されているとともにかご用ヒッチ２３が固定されている。昇降路１３内のかご用ガイドレール１４にかご用ビーム２１を設けることで、昇降路１３内にかご用そらせシーブ２２とかご用ヒッチ２３とを設置することが可能となっている。
【００２１】
釣合いおもり用ビーム２４には、釣合いおもり用そらせシーブ２５（ロープガイド手段Ｇ）が設置されているとともに釣合いおもり用ヒッチ２６が固定されている。昇降路１３内の釣合いおもり用ガイドレール１５に釣合いおもり用ビーム２４を設けることで、昇降路１３内に釣合いおもり用そらせシーブ２５と釣合いおもり用ヒッチ２６とを設置することが可能となっている。
【００２２】
ロープ８Ｒの端部は、かご用ヒッチ２３と釣合いおもり用ヒッチ２６とに締結されている。ロープ８Ｒは、端部でかご用ヒッチ２３に固定され、かごシーブ１９に巻きかけられ、かご用そらせシーブ２２によりガイドされ、かご側開口部９を通過し、ギアレス巻上機１６のメインシーブ１７に巻きかけられ、巻上機側そらせシーブ１８、７にガイドされ、釣合いおもり側開口部１０を通過し、釣合いおもり用そらせシーブ２５にガイドされ、釣合いおもりシーブ２０に巻きかけられ、釣合いおもり用ヒッチ２６に固定されている。
【００２３】
（リニューアルの作業手順の説明）
図９は、本実施形態で、エレベータのリニューアル方法の手順を説明するフローチャート図である。以下、本実施形態で行うリニューアル作業を図９を参照しつつ説明する。
【００２４】
まず、かご１１と釣合いおもり１２とを昇降路１３内のフック等に取り付け、巻きかけられたロープ８Ｂを取り外し、既設のギアード巻上機５を撤去する（ステップＳ１）。次に、マシンベッド４の上に新設のギアレス巻上機１６を設置し（ステップＳ２）、更に、そらせシーブ１８を追加設置する（ステップＳ３）。
【００２５】
そして、２：１ローピングを行うために、かご１１および釣合いおもり１２の工事を行う。本実施形態では、かご１１上部にかごシーブ１９を取り付け、釣合いおもり１２上部に釣合いおもりシーブ２０を取り付ける（ステップＳ４）。
【００２６】
また、既設のかご用ガイドレール１４のレール間にかご用ビーム２１を固定し、釣合いおもり用ガイドレール１５のレール間に釣合いおもり用ビーム２４を固定する（ステップＳ５）。
【００２７】
そして、かご用ビーム２１にかご用そらせシーブ２２およびかご用ヒッチ２３を設置し、釣合いおもり用ビーム２４に釣合いおもり用そらせシーブ２５および釣合いおもり用ヒッチ２６を設置する（ステップＳ６）。
【００２８】
更に、ロープ８Ｒの端部をかご用ヒッチ２３に固定し、かごシーブ１９、かご用そらせシーブ２２に巻きかけ、かご側開口部９を通し、メインシーブ１７、巻上機側そらせシーブ１８、７に巻きかけ、釣合いおもり側開口部１０を通し、釣合いおもり用そらせシーブ２５、釣合いおもりシーブ２０を介し、釣合いおもり用ヒッチ２６に固定する（ステップＳ７）。
【００２９】
このようにして、かご側開口部９と、釣合いおもり側開口部１０とにロープ８Ｒを一回ずつ通し、ロープ８Ｒの端部を固定手段Ｆであるかご用ビーム２１および釣合いおもり用ビーム２４にそれぞれ固定して、２：１ローピングにリニューアルしたエレベータＥＲとすることができる。
【００３０】
なお、リニューアルする際の作業手順は、上記以外の他の手順であってもよく、例えば、ステップＳ７で、巻上機５にロープ８Ｒを巻きかけ、かご側開口部９および釣合いおもり側開口部１０にロープ８Ｒをそれぞれ通し、その後、かご１１側、釣合いおもり１２側でそれぞれ２：１ローピングとなるように巻きかけ、ロープ端部をそれぞれかご用ヒッチ２３、釣合いおもり用ヒッチ２６に固定してもよい。
【００３１】
（効果）
以上説明したように、本実施形態では、１：１ローピングから２：１ローピングのエレベータにリニューアルする際、昇降路１３内のかご用ガイドレール１４にかご用ビーム２１を固定し、かご用ビーム２１にかご用そらせシーブ２２とかご用ヒッチ２３とを設けるとともに、昇降路１３内の釣合いおもり用ガイドレール１５に釣合いおもり用ビーム２４を固定し、釣合いおもり用ビーム２４に釣合いおもり用そらせシーブ２５と釣合いおもり用ヒッチ２６とを設けることにより、昇降路１３内にロープ８Ｒの両端部を固定することができる。従って、ロープ８Ｒがかご側開口部９を２回通過することなく、１：１ローピングを２：１ローピングに変更することが可能になる。よって、かご側開口部９を拡大する工事や新たな開口部を床２に形成する工事などの建屋工事をする必要がないので、短時間でリニューアル作業を完了させることができ、しかも、巻上機としてギアレス巻上機１６を用いることが可能になる。
【００３２】
また、２：１ローピングのエレベータを新設する場合であっても、かご側開口部９の寸法を従来よりも大きくする必要はないという効果が得られる。
【００３３】
また、昇降路１３内のかご用ビーム２１にかご用そらせシーブ２２が取り付けられている。これにより、ロープ８Ｒがかご側開口部９と干渉することを防止できるとともに、かご用そらせシーブ２２をロープ８Ｒが経由することで、ロープ８Ｒをかごシーブ１９にスムーズに精度良く案内することができる。また、かご用そらせシーブ２２で巻きつけ角度を調整できるので、かご用そらせシーブ２２とロープ８Ｒとの間で作用する摩擦力を増大させることができ、巻上機としてギアレス巻上機１６を用いる上で好都合である。
【００３４】
また、かご用ビーム２１がかご用ガイドレール１４に固定されているため、かご用ガイドレール１４間の任意の位置にかご用ヒッチ２３を設置可能である。従って、かご用ヒッチ２３からかごシーブ１９へ垂直にロープ８Ｒを吊り下げることができる。
【００３５】
同様に、昇降路１３内の釣合いおもり用ビーム２４に釣合いおもり用そらせシーブ２５が取り付けられており、ロープ８Ｒが釣合いおもり側開口部１０と干渉することを防止できるとともに、釣合いおもり用そらせシーブ２５をロープ８Ｒが経由することで、ロープ８Ｒを釣合いおもりシーブ２０にスムーズに精度良く案内することができる。また、釣合いおもり用そらせシーブ２５で巻きつけ角度を調整できるので、釣合いおもり用そらせシーブ２５とロープ８Ｒとの間で作用する摩擦力を増大させることができ、巻上機としてギアレス巻上機１６を用いる上で好都合である。
【００３６】
また、釣合いおもり用ビーム２４が釣合いおもり用ガイドレール１５に固定されているため、釣合いおもり用ガイドレール１５間の任意の位置に釣合いおもり用ヒッチ２６を設置可能である。従って、釣合いおもり用ヒッチ２６から釣合いおもりシーブ２０へ垂直にロープ８Ｒを吊り下げることができる。
【００３７】
なお、ロープ８Ｒは、断面が円状のものに限らず、断面が楕円状や平面状のものを用いることも可能である。
【００３８】
また、かご用ビーム２１と釣合いおもり用ビーム２４とを連結部材で連結して例えば枠状部材にして、かご用ビーム２１および釣合いおもり用ビーム２４がかご用ガイドレール１４および釣合いおもり用ガイドレール１５に更に強固に固定される構成にしてもよい。
【００３９】
［第２実施形態］
次に、第２実施形態について説明する。図１０〜図１２は、それぞれ、リニューアル後のエレベータの構成を説明する正面図、背面図、および、平面図である。なお、図１２では昇降路壁を断面で示している。
【００４０】
本実施形態では、図１０、図１２に示すように、リニューアル後のエレベータＥＲでは、マシンビーム３によって機械室１内に固定され、かご側開口部９から昇降路１３内に延び出しているかご側支持部材２７と、マシンビーム３によって機械室１内に固定され、釣合いおもり側開口部１０から昇降路１３内に延び出している釣合いおもり側支持部材２８と、が設けられている。
【００４１】
また、本実施形態では、ロープ８Ｒの端部を固定する固定手段Ｆとして、昇降路１３内に、かご側ビーム２１と、釣合いおもり側ビーム２４と、が設けられている。昇降路１３内で、かご側ビーム２１はかご側支持部材２７に固定され、釣合いおもり側ビーム２４は釣合いおもり側支持部材２８に固定されている。
【００４２】
本実施形態では、第１実施形態で奏する効果に加え、機械室１側から固定手段Ｆ（かご側ビーム２１および釣合いおもり側ビーム２４）を支持しているため、昇降路１３内のオーバーヘッド寸法が比較的短くても昇降路１３内に固定手段Ｆが設置可能であるという効果も奏する。
【００４３】
以上、いくつかの実施形態を説明したが、これらの実施形態は、例として提示したものであり、発明の範囲はそれらに限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４４】
１  機械室
２  床
５  ギアード巻上機
８Ｂ  ロープ
８Ｒ  ロープ
９  かご側開口部
１０  釣合いおもり側開口部
１１  かご
１２  釣合いおもり
１３  昇降路
１４  かご用ガイドレール
１５  釣合いおもり用ガイドレール
１６  ギアレス巻上機
２１  かご用ビーム
２４  釣合いおもり用ビーム
２７  かご側支持部材
２８  釣合いおもり側支持部材
ＥＢ  エレベータ
ＥＲ  エレベータ
Ｆ  固定手段
Ｇ  ロープガイド手段
【図１】
2015013728.tif 000003
【図２】
2015013728.tif 000004
【図３】
2015013728.tif 000005
【図４】
2015013728.tif 000006
【図５】
2015013728.tif 000007
【図６】
2015013728.tif 000008
【図７】
2015013728.tif 000009
【図８】
2015013728.tif 000010
【図９】
2015013728.tif 000011
【図１０】
2015013728.tif 000012
【図１１】
2015013728.tif 000013
【図１２】
2015013728.tif 000014
【手続補正書】
【提出日】平成26年8月8日(2014.8.8)
【手続補正１】
【補正対象書類名】特許請求の範囲
【補正対象項目名】全文
【補正方法】変更
【補正の内容】
【特許請求の範囲】
【請求項１】
１：１ローピングのエレベータを２：１ローピングにリニューアルするエレベータのリニューアル方法であって、
巻上機に巻きかけられた１：１ローピング用のロープを取り外す工程と、
２：１ローピングで吊るすようにかごおよび釣合いおもりの吊下げ可能化工事を行うとともに、２：１ローピング用のロープの端部をそれぞれ固定する固定手段を前記巻上機が設置される機械室の床下に形成された昇降路内に設ける工程と、
前記床に形成されたかご側開口部と前記床に形成された釣合いおもり側開口部とに２：１ローピング用のロープを一回ずつ通して前記かごおよび前記釣合いおもりを２：１ローピングで吊るすように前記巻上機、前記かご、および、前記釣合いおもりに巻きかけるとともに、前記ロープの端部を前記固定手段に固定する工程と、
を備え、
前記吊下げ可能化工事では、
前記機械室内では前記床に沿った方向に延びるとともに前記機械室内のマシンビームに固定され、更に、断面Ｌ字状に曲がって前記昇降路内に延び出し、更に、断面Ｌ字状に曲がって前記かご側開口部の外方へ延びて、かご側のロープ端部を固定しているかご用ビームを下部で固定する、断面コの字状のかご側支持部材と、
前記機械室内では前記床に沿った方向に延びるとともに前記マシンビームに固定され、更に、断面Ｌ字状に曲がって前記昇降路内に延び出し、更に、断面Ｌ字状に曲がって前記かご側開口部の外方へ延びて、釣合おもり側のロープ端部を固定している釣合おもり用ビームを下部で固定する断面コの字状のおもり側支持部材と、
を設けることを特徴とするエレベータのリニューアル方法。
【請求項２】
リニューアル前の前記巻上機がギアード巻上機であり、
前記ギアード巻上機をギアレス巻上機に交換した後に２：１ローピング用のロープを前記ギアレス巻上機に巻きかけることを特徴とする請求項１記載のエレベータのリニューアル方法。
【請求項３】
２：１ローピングのエレベータであって、
巻上機に巻きかけられるロープの端部を固定する固定手段が昇降路内に設けられ、
前記巻上機が設置される機械室の床に形成されたかご側開口部と、前記床に形成された釣合いおもり側開口部とに前記ロープが一回ずつ通され、かごおよび釣合いおもりが２：１ローピングで吊るされているとともに前記ロープの端部がいずれも前記固定手段に固定され、
前記機械室に固定され、前記かご側開口部から前記昇降路内に延び出している断面コの字状のかご側支持部材と、
前記機械室に固定され、前記釣合いおもり側開口部から前記昇降路内に延び出している断面コの字状の釣合いおもり側支持部材と、
が設けられ、
前記かご側支持部材は、前記機械室内では前記床に沿った方向に延びるとともに前記機械室内のマシンビームに固定され、更に、断面Ｌ字状に曲がって前記昇降路内に延び出し、更に、断面Ｌ字状に曲がって前記かご側開口部の外方へ延びて、かご側のロープ端部を固定しているかご用ビームを下部で固定しており、
前記おもり側支持部材は、前記機械室内では前記床に沿った方向に延びるとともに前記マシンビームに固定され、更に、断面Ｌ字状に曲がって前記昇降路内に延び出し、更に、断面Ｌ字状に曲がって前記かご側開口部の外方へ延びて、釣合おもり側のロープ端部を固定している釣合おもり用ビームを下部で固定しており、
前記ロープが前記かご側開口部および前記釣合いおもり側開口部に干渉することを防止するロープガイド手段が前記固定手段に設けられていることを特徴とするエレベータ。
【請求項４】
前記巻上機のメインシーブと、前記釣合いおもり側開口部から前記ロープを吊下げるように配置された巻上機側そらせシーブとの間のロープ部分に当接する巻上機側第２そらせシーブが配置されていることを特徴とする請求項３記載のエレベータ。